(57)【特許請求の範囲】
【請求項１】
既設管の内側に管を敷設する敷設装置であって、
筒型の先行装置と、筒型の推進装置とからなり、
前記推進装置は、
円筒部と、
前記円筒部の内側に設けられる複数のジャッキと、
前記円筒部の後端部に設けられ、前記円筒部の外周に設置される管と当接する当接部と、
を具備し、
前記管が、前記複数のジャッキが伸張された際に、前記当接部に押され、前記先行装置を押し出すことを特徴とする敷設装置。
【請求項２】
前記先行装置は、先端部にリング状のスクレイパが、周囲に止水パッキンが設けられることを特徴とする請求項１記載の敷設装置。
【請求項３】
前記当接部は、リング状に設けられることを特徴とする請求項１記載の敷設装置。
【請求項４】
請求項１から請求項３のうちのいずれか1項に記載の敷設装置を用いて管を敷設する敷設システムであって、
前記既設管内に前記先行装置を設置し、
前記推進装置の外周に前記管を設置し、
前記推進装置を前記ジャッキで推進させ、前記既設管内に前記管を挿入していき、
前記先行装置の周囲と立坑の管発進部分とに止水手段を設け、
前記既設管と前記管との間に注水を行い、
前記管を浮かせつつ推進させることを特徴とする敷設システム。
【請求項５】
前記既設管と前記管との間に注水された水の量を調整する調整手段を、更に具備することを特徴とする請求項４記載の敷設システム。
【請求項６】
前記調整手段は、
前記既設管と前記管との間に注水を行う注水手段と、
前記既設管と前記管との間の水を排水する排水手段と、
前記既設管と前記管との間の水位を測定する測定手段と、
を具備し、
前記測定手段によって測定された水位に応じて、前記注水手段と前記排水手段を制御することを特徴とする請求項５記載の敷設システム。
【請求項７】
請求項１から請求項３のうちのいずれか1項に記載の敷設装置を用い、既設管の内側に管を敷設する敷設工法であって、
（ａ）前記既設管内に前記先行装置を設置する工程と、
（ｂ）地上で、前記推進装置の外周に前記管を設置する工程と、
（ｃ）前記推進装置を立坑内に投入する工程と、
（ｄ）前記ジャッキを伸長させて前記管を前記既設管の内側に押し出す工程と、
（ｅ）前記ジャッキを縮めて前記推進装置を前記管から抜き出す工程と、
（ｆ）前記推進装置を地上に引き上げる工程と、
（ｇ）地上で、前記推進装置の外周に、新たな管を設置する工程と、
を具備し、
工程（ｂ）から（ｇ）を繰り返すことを特徴とする管の敷設工法。
【請求項８】
前記推進装置を複数台用い、第１の推進装置で前記既設管内に管を挿入している際に、地上部の他の推進装置に新たな管を設置することを特徴とする請求項７記載の管の敷設工法。
【請求項９】
前記先行装置の周囲と立坑の管発進部分とに止水手段を設け、前記既設管と前記管との間に水を充填させて、前記管を浮かせながら推進させることを特徴とする請求項７または請求項８記載の管の敷設工法。
【発明の詳細な説明】
【０００１】
【発明の属する技術分野】
本発明は、劣化した下水管渠に更生管を敷設する際の敷設装置、敷設システムおよび敷設工法に関するものである。
【０００２】
【従来の技術】
従来、劣化した下水管渠を更生する方法としては、既設管渠の残存強度を期待した複合管方式と、既設管渠の残存強度を全く期待しない自立管方式とがある。
【０００３】
複合管方式とは、既設管渠の内側に、それ自体高い強度を有していないが耐蝕性効果の優れた管体を挿入、または耐蝕性材料からなる帯板を巻き回して管体を形成し、既設管渠と耐蝕性管体との間にモルタルまたはグラウト等を充填して既設管渠と一体とする工法である。
【０００４】
しかしながら、既設のコンクリート管体は、硫化水素が高濃度になる環境下等で腐食しており、コンクリートおよび鉄筋の劣化がかなり進行している場合も考えられるため、既設管渠の残存強度が期待できない場合がある。
【０００５】
また、自立管方式とは、既設管渠と同等程度の強度を有するリング状の更生管を既設管渠内に設置する工法であり、１リングもしくは数リングずつ管渠内に運搬して連結する運搬方式と、立坑で1リングずつ連結して既設管渠内に挿入する元押し方式とがある。
【０００６】
【発明が解決しようとする課題】
しかしながら、運搬方式は、1リングもしくは数リングずつを運搬していくことから、既設管渠が長くなると1回の運搬時間が長くなり、施工能率が低下する、という問題点がある。
【０００７】
また、元押し方式は、立坑で1リングずつ連結しながら既設管渠内に押し込んでいく方式であり、運搬方式より施工性に優れる。しかしながら、管渠が長くなるにつれて更生管総重量が大きくなり、大きな推進力が必要となる。さらに、従来の元押し方式での施工時には、下水を流しつつ施工できないため、上流側と下流側に仮締め切りをして、水替えをする必要がある、という問題点がある。
【０００８】
本発明は、このような問題点に鑑みてなされたものであり、その目的とするところは、施工性の優れる元押し方式において、下水を流しつつ、更生管の推進力を低減させて、劣化した下水管の内側に更生管を敷設する敷設装置、敷設システムおよび敷設工法を提供することである。
【０００９】
前述した目的を達成するため、第1の発明は、既設管の内側に管を敷設する敷設装置であって、筒型の先行装置と、筒型の推進装置とからなり、前記推進装置は、円筒部と、前記円筒部の内側に設けられる複数のジャッキと、前記円筒部の後端部に設けられ、前記円筒部の外周に設置される管と当接する当接部と、を具備し、前記管が、前記複数のジャッキが伸張された際に、前記当接部に押され、前記先行装置を押し出すことを特徴とする敷設装置である。
先行装置は、既設管の内側に管を敷設する際に、管を既設管内に先導する。また、推進装置の外周に設置された管は、推進装置に設けられたジャッキの推進力によって既設管内に押し出される。
第１の発明では、先行装置によって、既設管渠内の劣化部分を除去しながら、推進装置によって管を押し出すことにより、既設管の内側に新たな管を敷設する。
第２の発明は、第1の発明の敷設装置を用いて管を敷設する敷設システムであって、前記既設管内に前記先行装置を設置し、前記推進装置の外周に管を設置し、前記推進装置を前記ジャッキで推進させ、前記既設管内に前記管を挿入していき、前記先行装置の周囲と立坑の管発進部分とに止水手段を設け、前記既設管と前記管との間に注水を行い、前記管を浮かせつつ推進させることを特徴とする敷設システムである。
第２の発明では、既設管内に新たな管を敷設する際に、先行装置の周囲と立坑の管発進部分とに止水パッキンによる止水手段を設け、既設管と管との間に生じる隙間に水を満たして管を浮かせて推進することにより、推進力を低減させて新たな管を敷設する。
第３の発明は、第1の発明の敷設装置を用い、既設管の内側に管を敷設する敷設工法であって、（ａ）前記既設管内に前記先行装置を設置する工程と、（ｂ）地上で、前記推進装置の外周に前記管を設置する工程と、（ｃ）前記推進装置を立坑内に投入する工程と、（ｄ）前記ジャッキを伸長させて前記管を前記既設管の内側に押し出す工程と、（ｅ）前記ジャッキを縮めて前記推進装置を前記管から抜き出す工程と、（ｆ）前記推進装置を地上に引き上げる工程と、（ｇ）地上で、前記推進装置の外周に、新たな管を設置する工程と、を具備し、工程（ｂ）から（ｇ）を繰り返すことを特徴とする管の敷設工法である。
第３の発明では、施工性に優れた工法により、下水を流しながら既設管の内側に新たな管を敷設する。
【００１０】
【発明の実施の形態】
以下、図面に基づいて本発明の実施の形態を詳細に説明する。
図１は、下水管渠更生管の敷設装置１の概略斜視図である。敷設装置１は、先行装置３と推進装置５とからなり、下水管渠の劣化した既設管１１の内部に、新たに更生管９を敷設する装置である。
【００１１】
下水管渠の既設管１１は、鉄筋コンクリート製等であり地下に埋設されており、内部には下水が流れる。既設管１１は、ある程度の勾配を有し、ほぼ水平に埋設されている。
【００１２】
既設管１１の所々には、垂直に立坑１３が設けられる。立坑１３は、地上と接する部分にマンホール（図示せず）が設けられ、マンホールから立坑１３内に下水管渠内部の点検等のため人や機器等が出入りすることができる。
【００１３】
敷設装置１のうち先行装置３は、既設管１１に最初に挿入し、既設管１１内に更生管９を敷設する際の先導を行う。推進装置５は、円筒形であり内側に複数のジャッキ７が設けられる。更生管９は、推進装置５の外側に設置された状態で、推進装置５と一体化して立坑１３内に搬入され、推進装置５によって押し出されるように既設管１１内に挿入される。
【００１４】
立坑１３内には、ジャッキガイド１５が設けられる。推進装置５に設けられるジャッキ７の後端部は、ジャッキガイド１５に挿入される。推進装置５は、立坑１３内に投入されたり、地上に搬出されたりする場合、ジャッキガイド１５に沿って鉛直方向に移動する。
【００１５】
また、ジャッキガイド１５は、立坑１３内に投入された推進装置５が更生管９を押し出す際の反力を受ける。
【００１６】
次に、敷設装置１の詳細な説明を行う。図２は、敷設装置１の一方の構成要素である先行装置３の斜視図であり、図３は、先行装置３のＡ−Ａ断面図である。先行装置３は、円筒状の本体４を有し、先端にスクレイパ１７が設けられる。本体４は、例えば鋼製である。
【００１７】
スクレイパ１７は、ウレタン等の樹脂製でリング状の形状であり、先行装置３の先端部分の周囲に斜めに設けられる（図８参照）。さらに、スクレイパ１７の先端部分は、既設管１１の内壁に接するように設けられ、先行装置3が既設管１１内を進行する際に、既設管１１内部の劣化部分の除去を行う。
【００１８】
先行装置３の本体４には、複数の車輪１９が設けられる。車輪１９は、先行装置３の本体４に埋め込まれるように設けられ、さらに、車輪１９は、既設管１１の内壁に接するように高さが調整される。車輪１９は、先行装置３が既設管１１内を移動するために設けられる。
【００１９】
先行装置３には、照明２１とカメラ２３とが、本体４の内側に並列して吊り下げられるように設けられる。照明２１とカメラ２３は、地上から遠隔操作できるようにしてもよい。
【００２０】
更生管９の敷設作業中は、照明２１とカメラ２３を遠隔操作することにより、地上で既設管１１内部の様子がモニターできる。
【００２１】
先行装置３には、先端部分でスクレイパ１７の後部に、止水パッキン２５がリング状に設けられる（図８参照）。止水パッキン２５は、ゴム等のシール材からなる。止水パッキン２５は、既設管１１と先行装置３との間に下水が流入するのを防ぐと同時に、後述する既設管１１と更生管９の間に注入する清水がもれるのを防ぐために設けられる。
【００２２】
図４は、推進装置５と更生管９の斜視図である。また、図５は、推進装置５のＢ−Ｂ断面図であり、図６は、更生管９のＣ−Ｃ断面図である。推進装置５は円筒形の装置であり、円筒部２７を有する。
【００２３】
円筒部２７の内側には、複数のジャッキ７の先端部が複数の固定金具３１によって固定される。
【００２４】
更生管９は、推進装置５の円筒部２７の外側に設置されるため、円筒部２７の外径は、更生管9の内径より若干小さい。また、円筒部２７には、複数の車輪２９が埋め込まれるように設けられる。車輪２９の高さは、更生管９が推進装置５の外側に設置された際に、更生管９の内側に接する高さになるように調整される。
【００２５】
円筒部２７の後端部には、当接部としてのリング３３が設けられる。リング３３の外径は、円筒部２７より大きく、更生管９の外径と同じになるように設けられる。尚、リング３３の代わりに、当接部として歯車形状のものを用いてもよい。円筒部２７の外側に設置された更生管９の後端部は、リング３３に当接する。
【００２６】
更生管９は、例えば円筒形のコンクリート製のヒューム管である。更生管９の先端には、更生管９より外径が小さい先端部３５が設けられる。また、先端部３５の外周にはゴム等の素材からなるパッキン３７がリング状に設けられる。更生管９の後部の先端には、鉄板製の連結カラー３９がリング状に設けられる。
【００２７】
次に、更生管の敷設工法の詳細な説明を行う。
図７は、推進装置５を立坑１３内に投入した時の立坑１３付近の断面図である。
はじめに、既設管１１内には、先行装置３が搬入される。図８は、先行装置３の先端部分付近の拡大図であり、図９は、立坑１３内の既設管１１端部付近の拡大図である。
【００２８】
先行装置３の先端部分には、止水パッキン２５がリング状に設けられ、立坑１３内の既設管１１の端部には、止水パッキン４７がリング状に設けられる。尚、止水パッキン２５の位置は、先行装置３の先端部分には限定されない。止水パッキン２５と止水パッキン４７との間で、既設管１１と先行装置３との間には、クリアランス４５が生じる。
【００２９】
既設管１１内には、下水面４１の高さまで下水が流れている。先行装置３の先端に設けられた止水パッキン２５と、既設管１１端部に設けられた止水パッキン４７は、先行装置３と既設管１１とのクリアランス４５に下水が流れ込むのを防止する。
【００３０】
地表面４３には、清水タンク５１が設けられ、清水が満たされる。清水タンク５１に満たされた清水は、清水ポンプ５３を通してホース５７に送られる。また、ホース５７には、清水バルブ５５が設けられ、清水の注水をコントロールすることができる。
【００３１】
止水パッキン４７の上部には、注水孔５９（図２３参照）が設けられ、ホース５７が差し込まれる。注水孔５９からは、清水が注水され、先行装置３と既設管１１とのクリアランス４５に清水を満たすことができる。
【００３２】
先行装置３が、既設管１１内に設置された後、地上にて円筒部２７の外周に更生管９が設置された推進装置５は、地表面４３に設置されたクレーン７９等によって、立坑１３内に垂直に設けられた柱状のジャッキガイド１５に沿って立坑１３内に投入される。
【００３３】
この時、推進装置５の上方には、ワイヤ７３が設けられた複数の吊り金具７５が取り付けられる。さらにワイヤ７３は、フック７７に引っ掛けられクレーン７９によって吊り下げられる。そして、外周に更生管９が設置された推進装置５は、立坑１３の底部に設けられた架台６９の上に設置される。
【００３４】
架台６９の高さは、外周に更生管９が設置された推進装置５がジャッキ７で押し出されたときに、更生管９が既設管１１内部に進入できる高さに調整される。このように、推進装置５は、ジャッキガイド１５と架台６９とによって、位置決めが行われ、更生管９の既設管１１への挿入が正確に行われる。
【００３５】
図１０は、更生管９が外周に設置され、立坑１３内に搬入された後の推進装置５のＤ−Ｄ断面図（図７参照）である。また、図１１は、推進装置５のＥ−Ｅ断面図（図７参照）である。立坑１３内には、複数のジャッキガイド１５が設置される。ジャッキガイド１５は、２本のＵ字型のＨ鋼を、凹部を向かい合わせ、間隔を開けるように組み合わせて形成される。
【００３６】
ジャッキ７は、円筒部２７の内側に複数本設けられる。本実施の形態では、４個のジャッキ７が設けられ、ジャッキ７の前方と後方の２カ所で、固定金具３１により円筒部２７に固定される。
【００３７】
ジャッキ７は、推進装置５の内側に左右対称になるように設置される。本実施の形態では、左右に２本づつ設置され、右側の上下２本のジャッキ７の後端部は、右側のジャッキガイド１５に、また左側の上下２本のジャッキ７の後端部は、左側のジャッキガイド１５にそれぞれ挿入される。
【００３８】
次に、更生管９を既設管１１の内空に押し出して、新たな下水管渠を敷設する。
図１２は、ジャッキ７を伸長して推進装置５を既設管１１内に押し出したときの、立坑１３付近の断面図である。
この時、ジャッキ７は、ジャッキガイド１５から反力を受ける。
【００３９】
推進装置５の外側に設置された更生管９は、ジャッキ７が伸長された際に、推進装置５の円筒部２７の後端部に設けられたリング３３に押され、既設管１１内に挿入される。既設管１１内には、あらかじめ先行装置３が挿入されているため、更生管９は、先行装置３を押し出しながら既設管１１内に挿入される。
【００４０】
更生管９が既設管１１内に挿入される際には、既設管１１の端部に設置された止水パッキン４７が、更生管９の外周に常に密着しているため、既設管１１内に挿入された更生管９と既設管１１との間のクリアランス４５には、下水が流入することはない。
【００４１】
次に、ジャッキ７を縮めて推進装置５を更生管９から抜き出す。
図１３は、更生管９を押し出した後、ジャッキ７が縮んで推進装置５を更生管９から抜き出し立坑１３内に戻したときの、立坑１３付近の断面図であり、図１４は、ジャッキ７が縮んで推進装置５を立坑１３内に戻している際の、立坑１３付近の斜視図である。
【００４２】
推進装置５は、既設管１１内に挿入した更生管９から抜け出る際に、円筒部２７に設けられた複数の車輪２９によって、スムーズに抜け出ることができる。
【００４３】
次に、推進装置５をジャッキガイド１５に沿って、地上に引き上げる。
図１５は、更生管９から抜け出た推進装置５を、ジャッキガイド１５に沿って地上に引き上げるときの、立坑１３付近の断面図である。
【００４４】
図１３において更生管９を既設管１１内に押し出した後、更生管９から抜け出た推進装置５には、再びワイヤ７３が設けられた複数の吊り金具７５が取り付けられる。さらに、ワイヤ７３は、フック７７に引っ掛けられクレーン７９によって地表面４３まで吊り上げられる。
【００４５】
推進装置５は、立坑１３内からジャッキガイド１５に沿って吊り上げられる。地上に搬出された推進装置５には、再度円筒部２７の外側に新たな更生管９が設置され、再度立坑１３内に投入される。
【００４６】
尚、別の推進装置（図示せず）を用意してあらかじめ更生管９を設置しておき、地上に搬出された推進装置５の代わりに立坑１３内に投入してもよい。別の推進装置を立坑１３内に投入し、更生管９を押し出す作業中に、先に搬出された推進装置５に更生管９を設置しておくことにより、工期を短縮することができる。
【００４７】
以上の工程を繰り返すことにより、既設管１１内に複数の更生管９を敷設していくことができる。
【００４８】
図１６は、複数の更生管９−１〜９−３が敷設されたときの、立坑１３付近の断面図である。また、図１７は、接合している更生管９−１と更生管９−２の拡大図であり、図１８は、更生管９−１と更生管９−２との接合部分付近の拡大図である。
【００４９】
更生管９−１の後端には、連結カラー３９−１が設けられる。更生管９−１の後端の連結カラー３９−１は、更生管９−２の先端部３５−２と接合する。このとき、更生管９−２の先端部３５−２に設けられたパッキン３７−２は、更生管９−１の連結カラー３９−１と密着し、接合部分の気密性および防水性等が保持される。尚、接合部分に関しては、本実施の形態に限定されるものではない。
【００５０】
次に、更生管９の推進方法について詳細に説明する。
図１９は、更生管９を既設管１１内に挿入したときの、既設管１１端部付近の断面図である。
既設管１１内には、下水面４１の高さまで下水が流れる。
【００５１】
前述したように、先行装置３に設けられた止水パッキン２５と、既設管１１端部に設けられた止水パッキン４７により、先行装置３および更生管９と、既設管１１との間のクリアランス４５には、下水は流入しない。
【００５２】
さらに、止水パッキン４７の上部には、注水孔５９が設けられ、ホース５７端部は、注水孔５９に挿入される。ホース５７は、図７に示した清水タンク５１に接続され、清水ポンプ５３および清水バルブ５５を経て、更生管９と既設管１１の間に清水を給水する。清水は、クリアランス４５内の清水面６３まで満たされる。
【００５３】
図２０は、更生管９−２を更生管９−１の後部に接合させ、既設管１１内に挿入したときの、既設管１１端部付近の断面図である。
【００５４】
図１９において注水孔５９から清水が給水されたクリアランス４５内の清水面６３は、図２０において更生管９−２を挿入することにより清水面６５まで低下する。
【００５５】
図２１は、図１９における既設管１１のＦ−Ｆ断面図である。既設管１１内に挿入された更生管９内には、下水水位６７まで下水が流れる。また、既設管１１と更生管９とのクリアランス４５には、清水水位６９まで清水が満たされる。
【００５６】
図２２は、先行装置３の止水パッキン２５付近のＧ−Ｇ断面図（図１９参照）である。止水パッキン２５には、複数の排水バルブ７１が設けられ、さらに水位センサまたは水圧センサ（図示せず）が設けられる。排水バルブ７１は、電磁バルブからなり、地上部のコントローラ（図示せず）の指示に応じて開閉し、排水バルブ７１が開くとクリアランス４５内の清水が外部に排出され、クリアランス４５内に満たされた清水の水位が調節される。
【００５７】
図２３は、止水パッキン４７付近のＨ−Ｈ断面図（図１９参照）である。止水パッキン４７の上部には、注水孔５９が設けられ、下部には、排水バルブ６１が設けられる。排水バルブ６１は、電磁バルブからなり、地上部のコントローラ（図示せず）の指示に応じて開閉し、排水バルブ６１が開くとクリアランス４５内の清水が外部に排出され、クリアランス４５内に満たされた清水の水位が調節される。
【００５８】
図１９および図２１において、下水水位６７より清水水位６９が高い場合、更生管９の浮力が大きくなり、更生管９が浮いた状態となり、更生管９が容易に推進する。
【００５９】
ところが、図２０のように、新たに更生管９−２を挿入した場合、更生管重量が増加し、さらに清水面６５まで低下するため、更生管９の浮力が小さくなり、更生管９と既設管１１が接触して摩擦力が増大し、大きな推進力が必要となる。このため、新たな更生管９−２等を挿入する場合、清水水位６９が低下しないように、注水孔５９から清水を給水する。
【００６０】
クリアランス４５内の清水の水位は、更生管９が既設管１１内で浮いているように調整される。すなわち、スリアランス４５内の清水の水位が低下した場合、更生管９は沈み込んで既設管１１内の底部に接触し、摩擦力が増大する。また、水位が高すぎる場合、更生管９は浮き上がりすぎ既設管１１内の上部に接触し、摩擦力が増大する。
【００６１】
止水パッキン２５に設けられたクリアランス４５内の清水の水位を測定する水位センサまたは水圧センサ（図示せず）は、測定したクリアランス４５内の清水の水位を地上部のコントローラ（図示せず）に出力する。コントローラは、清水バルブ５５、排水バルブ６１および排水バルブ７１を制御する。
【００６２】
すなわち、クリアランス４５内の清水の水位が上昇しすぎた場合、コントローラは、排水バルブ６１および排水バルブ７１を開き、クリアランス４５内の清水を排出する。また、クリアランス４５内の清水の水位が下降しすぎた場合、コントローラは排水バルブ６１および排水バルブ７１を閉じ、清水バルブ５５を開いてクリアランス４５内に清水を給水する。
【００６３】
このようにして、更生管９が既設管１１と接触せずに既設管１１内を浮かんでいるように、クリアランス４５内の清水の水位が調整される。
【００６４】
尚、コントローラを設けず、排水バルブ６１および排水バルブ７１は、クリアランス４５内の清水の水位が定められた値以上になると自動的に開き、定められた値以下になると自動的に閉じるようにし、清水バルブ５５は、クリアランス４５内の清水の水位が定められた値以下になると自動的に開き、定められた値以上になると自動的に閉じるようにしてもよい。
【００６５】
このように、既設管１１と更生管９とのクリアランス４５に満たす清水の量を調節し、更生管９を浮かせた状態で、更生管９を推進させることにより、推進装置５に設けられたジャッキ７の推進力を小さくすることができる。
【００６６】
このように、本実施の形態によれば、下水を流しながら、更生管の推進力を低減させて、劣化した下水管の内側に更生管を敷設することができる。
【００６７】
図２４は、他の実施の形態に係る、既設管１１端部付近の断面図であり、図２５は、図２４におけるＩ−Ｉ断面図である。先行装置３には、円筒部分の下方に堰８１が設けられる。堰８１は、支え８３によって両側から支えられており、支え８３に沿って高さを変えることができる。
【００６８】
前述したように、清水面７７を調節することにより、更生管９の浮力が生ずる。さらに、この実施の形態において堰８１を設けることにより、下水水位８７をほぼ一定に制御することが可能となる。
【００６９】
尚、本発明の技術的範囲は、前述した実施の形態に限定されることなく、種々の変形が可能である。
【００７０】
【発明の効果】
以上、詳細に説明したように本発明によれば、施工性の優れる元押し方式において、下水を流しながら、更生管の推進力を低減させて、劣化した下水管の内側に更生管を敷設する敷設装置、敷設システムおよび敷設工法を提供することができる。
【図面の簡単な説明】
【図１】  下水管渠更生管の敷設装置１の概略斜視図
【図２】  先行装置３の斜視図
【図３】  先行装置３のＡ−Ａ断面図
【図４】  推進装置５と更生管９の斜視図
【図５】  推進装置５のＢ−Ｂ断面図
【図６】  更生管９のＣ−Ｃ断面図
【図７】  推進装置５を立坑１３内に投入した時の立坑１３付近の断面図
【図８】  先行装置３の先端部分付近の拡大図
【図９】  立坑１３内の既設管１１端部付近の拡大図
【図１０】  更生管９が外側に設置され、立坑１３内に搬入された推進装置５のＤ−Ｄ断面図
【図１１】  推進装置５のＥ−Ｅ断面図
【図１２】  ジャッキ７を伸長して推進装置５を既設管１１内に押し出したときの、立坑１３付近の断面図
【図１３】  更生管９を押し出した後、ジャッキ７が縮んで推進装置５を更生管９から抜き出し立坑１３内に戻したときの、立坑１３付近の断面図
【図１４】  ジャッキ７が縮んで推進装置５を立坑１３内に戻している際の、立坑１３付近の斜視図
【図１５】  更生管９から抜け出た推進装置５を、ジャッキガイド１５に沿って地上に引き上げるときの、立坑１３付近の断面図
【図１６】  複数の更生管９−１〜９−３が敷設されたときの、立坑１３付近の断面図
【図１７】  接合している更生管９−１と更生管９−２の拡大図
【図１８】  更生管９−１と更生管９−２との接合部分付近の拡大図
【図１９】  更生管９を既設管１１内に挿入したときの、既設管１１端部付近の断面図
【図２０】  更生管９−２を更生管９−１の後部に接合させ、既設管１１内に挿入したときの、既設管１１端部付近の断面図
【図２１】  既設管１１のＦ−Ｆ断面図
【図２２】  先行装置３の止水パッキン２５付近のＧ−Ｇ断面図
【図２３】  止水パッキン４７付近のＨ−Ｈ断面図
【図２４】  他の実施の形態に係る、既設管１１端部付近の断面図
【図２５】  図２４におけるＩ−Ｉ断面図
【符号の説明】
１・・・・敷設装置
３・・・・先行装置
５・・・・推進装置
７・・・・ジャッキ
９・・・・更生管
１１・・・既設管
１３・・・立坑
１５・・・ジャッキガイド
【図１】
0003889301.tif 000002
【図２】
0003889301.tif 000003
【図３】
0003889301.tif 000004
【図４】
0003889301.tif 000005
【図５】
0003889301.tif 000006
【図６】
0003889301.tif 000007
【図７】
0003889301.tif 000008
【図８】
0003889301.tif 000009
【図９】
0003889301.tif 000010
【図１０】
0003889301.tif 000011
【図１１】
0003889301.tif 000012
【図１２】
0003889301.tif 000013
【図１３】
0003889301.tif 000014
【図１４】
0003889301.tif 000015
【図１５】
0003889301.tif 000016
【図１６】
0003889301.tif 000017
【図１７】
0003889301.tif 000018
【図１８】
0003889301.tif 000019
【図１９】
0003889301.tif 000020
【図２０】
0003889301.tif 000021
【図２１】
0003889301.tif 000022
【図２２】
0003889301.tif 000023
【図２３】
0003889301.tif 000024
【図２４】
0003889301.tif 000025
【図２５】
0003889301.tif 000026